(57)【要約】      （修正有）【課題】環状平面を含む弁輪および弁尖を有する生来の弁と流体連通している心腔内での拡張移植のための装置を提供する。【解決手段】環状平面上に少なくとも部分的に配置された下面を含む基部１００であって、下面は環状平面上に少なくとも部分的に配置されている、基部と、装置が拡張され移植されたときに圧力がかかり心腔ルーフと摩擦係合する心房ドーム部分３００と、可撓性の拡張可能なメッシュを備え、かつ基部と、基部フレームおよび頂部と動作可能に接続された心房ドーム部分とに動作可能に取り付けられている、中間部２００と、下面を含む中央シリンダ弁支持体４００であって、中央シリンダ弁支持体は、基部に動作可能に取り付けられ、その中に動作可能に取り付けられた少なくとも１つの人工弁尖４０２を含み、下面は環状平面にまたはそれより上に位置する、中央シリンダ弁支持体とを備える。【選択図】図７
2020151480.tif 000002
【特許請求の範囲】
【請求項１】
環状平面を含む弁輪および弁尖を有する生来の弁と流体連通している心腔内での拡張移植のための装置であって、前記装置は、
前記環状平面上に少なくとも部分的に配置された下面を含む基部であって、前記下面は前記環状平面上に少なくとも部分的に配置されている、基部と、
前記装置が拡張され移植されたときに圧力がかかり前記心腔ルーフと摩擦係合する心房ドーム部分と、
可撓性の拡張可能なメッシュを備え、かつ前記基部と、前記基部フレームおよび頂部と動作可能に接続された前記心房ドーム部分とに動作可能に取り付けられている、中間部と、
下面を含む中央シリンダ弁支持体であって、前記中央シリンダ弁支持体は、前記基部に動作可能に取り付けられ、その中に動作可能に取り付けられた少なくとも１つの人工弁尖を含み、前記下面は前記環状平面にまたはそれより上に位置する、中央シリンダ弁支持体と、
を備える、装置。
【請求項２】
前記中央シリンダ弁支持体の前記下面に、前記中央シリンダ弁支持体内に取り付けられた前記少なくとも１つの人工弁尖をさらに備える、請求項１に記載の装置。
【請求項３】
前記中央シリンダ弁支持体の前記下面の上方に位置する場所に、前記中央シリンダ弁支持体内に取り付けられた前記少なくとも１つの人工弁尖をさらに備える、請求項１に記載の装置。
【請求項４】
前記心腔が左心房を含み、前記生来の弁が前記生来の弁尖を含む僧帽弁を含む、請求項１に記載の装置。
【請求項５】
前記生来の弁尖に構造上存在しない、または係合しない、前記拡張され移植された装置をさらに含む、請求項１に記載の装置。
【請求項６】
前記生来の弁尖を含む生来の僧帽弁、左心室、および肺動脈からなる群のうちの１つまたは複数に構造上存在しない、または係合しない、前記拡張され移植された装置をさらに含む、請求項４に記載の装置。
【請求項７】
前記心房ドームがワイヤ境界を含む、請求項１に記載の装置。
【請求項８】
前記心房ドームが、前記ワイヤ境界によって画定される開放構造を含む、請求項９に記載の装置。
【請求項９】
前記心房ドームが、前記ワイヤ境界によって画定される被覆構造を含む、請求項９に記載の装置。
【請求項１０】
前記中間部が、前記基部と前記心房ドームとの間に動作可能に接続された１つまたは複数のストラットを備える、請求項１に記載の装置。
【請求項１１】
前記中間部が、前記基部と前記心房ドームとの間に動作可能に接続されたばねまたはショックアブソーバを含む複数のばね要素をさらに備える、請求項１に記載の装置。
【請求項１２】
環状平面を画定する弁輪を含む心腔内に移植された人工心臓弁装置を用いて患者の少なくとも部分的に機能しなくなった生来の心臓弁の機能を保存するための方法であって、
下面を有する基部と、頂部と、可撓性の拡張可能なメッシュを含む中間部とを備えた固定構造を含む、収縮可能な人工心臓弁装置を設けるステップであって、前記中間部は前記基部と前記頂部との間に動作可能に配置されている、ステップと、
前記基部の前記下面に動作可能に取り付けられかつ内部に動作可能に取り付けられた人工弁尖を備える、中央シリンダ弁支持体を設けるステップと、
前記人工心臓弁装置を単一の心腔内に拡張して移植するステップであって、前記心腔は、前記少なくとも部分的に機能しなくなった生来の弁によって逆行性の流れから少なくとも部分的に保護され、前記基部の前記下面の少なくとも一部は前記環状平面上に配置され、前記中央シリンダ弁支持体は、前記環状平面の下には延びていない、ステップと、
前記拡張され移植された人工心臓弁装置を用いて、前記少なくとも部分的に機能しなくなった生来の弁の前記残りの正常な生来の機能を保存するステップと、
を含む、方法。
【請求項１３】
前記心臓の前記単腔が左心房を含み、前記生来の弁が前記生来の弁尖を含む僧帽弁である、請求項１２に記載の方法。
【請求項１４】
前記拡張され移植された人工心臓弁装置が、前記生来の弁尖を含む僧帽弁、前記患者の左心室、および肺動脈からなる群のうちの少なくとも１つに構造上存在しない、または係合しないことを確実にするステップを含む、請求項１３に記載の方法。
【請求項１５】
環状平面を画定する弁輪を含む心腔内に移植された人工心臓弁装置を用いて患者の少なくとも部分的に機能しなくなった生来の心臓弁の機能を保存および補充するための方法であって、
下面を有する基部と、頂部と、可撓性の拡張可能なメッシュを含む中間部とを備えた固定構造を含む、収縮可能な人工心臓弁装置を設けるステップであって、前記中間部は前記基部と前記頂部との間に動作可能に配置されている、ステップと、
前記基部の前記下面に動作可能に取り付けられかつ内部に動作可能に取り付けられた人工弁尖を備える、中央シリンダ弁支持体を設けるステップと、
前記人工心臓弁装置を単一の心腔内に拡張して移植するステップであって、前記心腔は、前記少なくとも部分的に機能しなくなった生来の弁によって逆行性の流れから少なくとも部分的に保護され、前記基部の前記下面の少なくとも一部は前記環状平面上に配置され、前記中央シリンダ弁支持体は、前記環状平面の下には延びていない、ステップと、
前記移植された人工心臓弁装置を用いて、前記少なくとも部分的に機能しなくなった生来の弁の前記残りの正常な生来の機能を保存および補充するステップと、
を含む、方法。
【請求項１６】
前記心臓の前記単腔が左心房を含み、前記生来の弁が僧帽弁である、請求項１５に記載の方法。
【請求項１７】
前記拡張され移植された人工心臓弁装置が、前記生来の弁尖を含む僧帽弁、前記患者の左心室、および肺動脈からなる群のうちの少なくとも１つに構造上存在しない、または係合しないことを確実にするステップをさらに含む、請求項１６に記載の方法。
【請求項１８】
環状平面を画定する弁輪を含む心腔内に移植された人工心臓弁装置を用いて患者の少なくとも部分的に機能しなくなった生来の心臓弁の残りの生来の機能を保存および補充し、移植された人工心臓弁装置で前記心臓弁の機能を置換するための方法であって、
下面を有する基部と、頂部と、可撓性の拡張可能なメッシュを含む中間部とを備えた固定構造を含む、収縮可能な人工心臓弁装置を設けるステップであって、前記中間部は前記基部と前記頂部との間に動作可能に配置されている、ステップと、
前記基部の前記下面に動作可能に取り付けられかつ内部に動作可能に取り付けられた人工弁尖を備える、中央シリンダ弁支持体を設けるステップと、
前記人工心臓弁装置を単一の心腔内に拡張して移植するステップであって、前記心腔は、前記少なくとも部分的に機能しなくなった生来の弁によって逆行性の流れから少なくとも部分的に保護され、前記基部の前記下面の少なくとも一部は前記環状平面上に配置され、前記中央シリンダ弁支持体は、前記環状平面の下には延びていない、ステップと、前記移植された人工心臓弁装置を用いて、前記機能しなくなった生来の弁の前記残りの正常な生来の機能を保存および補充するステップと、
前記生来の弁が正常の生来の機能を提供することをやめたときに、前記生来の弁機能を完全に置換するステップと、
を含む、方法。
【請求項１９】
前記心臓の前記単腔が左心房であり、前記生来の弁が前記生来の弁尖を含む僧帽弁である、請求項１８に記載の方法。
【請求項２０】
前記拡張され移植された人工心臓弁装置が、前記生来の弁尖を含む生来の僧帽弁、前記患者の左心室、および肺動脈からなる群のうちの少なくとも１つに構造上係合しないことを確実にするステップをさらに含む、請求項１９に記載の方法。
【発明の詳細な説明】
【技術分野】
【０００１】
発明者
アメリカ合衆国、ミネソタ州、メープルグローブのＪｅｆｆｒｅｙ  Ｗ．Ｃｈａｍｂｅｒｓ
関連出願の相互参照
本出願は、２０１６年８月１１日に出願された、ＨＥＡＲＴ  ＣＨＡＭＢＥＲ  ＰＲＯＳＴＨＥＴＩＣ  ＶＡＬＶＥ  ＩＭＰＬＡＮＴ  ＷＩＴＨ  ＳＴＥＮＴ，ＳＰＲＩＮＧ  ＡＮＤ  ＤＯＭＥ  ＳＥＣＴＩＯＮＳと題する米国仮特許出願第６２／３７３５４１号、２０１６年８月１１日に出願された、ＨＥＡＲＴ  ＣＨＡＭＢＥＲ  ＰＲＯＳＴＨＥＴＩＣ  ＶＡＬＶＥ  ＩＭＰＬＡＮＴ  ＷＩＴＨ  ＳＴＥＮＴ，ＭＥＳＨ  ＡＮＤ  ＤＯＭＥ  ＳＥＣＴＩＯＮＳと題する米国仮特許出願第６２／３７３５６０号、および２０１６年８月１１日に出願された、ＨＥＡＲＴ  ＣＨＡＭＢＥＲ  ＰＲＯＳＴＨＥＴＩＣ  ＶＡＬＶＥ  ＩＭＰＬＡＮＴ  ＷＩＴＨ  ＥＬＥＶＡＴＥＤ  ＶＡＬＶＥ  ＳＥＣＴＩＯＮと題する米国特許仮出願第６２／３７３５５１号の利益を主張し、その全体が参照により本明細書に組み込まれる。
連邦政府資金による研究開発の記載
該当なし
【０００２】
本発明は、装置および心腔内に装置を移植するための方法に関する。より具体的には、本発明は、完全に単腔内に配置された固定構造と、生来の弁機能の保存および／または置換のために配置された人工弁とを含む単腔固定フレームに関する。
【背景技術】
【０００３】
人間の心臓は、心臓を通る血液の順方向（順行性）の流れを助ける４つの心腔および４つの心臓弁を含む。心腔は、左心房、左心室、右心房、および左心室を含む。４つの心臓弁は、僧帽弁（ｍｉｔｒａｌ  ｖａｌｖｅ）、三尖弁（ｔｒｉｃｕｓｐｉｄ  ｖａｌｖｅ）、大動脈弁（ａｏｒｔｉｃ  ｖａｌｖｅ）、および肺動脈弁（ｐｕｌｍｏｎａｒｙ  ｖａｌｖｅ）を含む。一般に図１を参照されたい。
【０００４】
僧帽弁は、左心房と左心室との間に配置され、左心房への逆流を防ぐための一方向弁として作用することによって、左心房から左心室への血流の制御を助ける。同様に、三尖弁は右心房と右心室との間に配置され、一方、大動脈弁および肺動脈弁は心臓から血液を流す動脈内に配置される半月弁である。これらの弁はすべて一方向弁であり、順方向（順行性）の血流を可能にするために開く弁尖を有する。正常に機能している弁尖は、逆流した血液によって加えられた圧力の下で閉じて、それがちょうど流出した心腔への血液の逆流（逆行）を防止する。例えば、僧帽弁は、適切に機能するとき、左心房と左心室との間の一方向弁を、左心房から左心室への順行性の流れを可能にするために開き、左心室から左心房への逆行性の流れを防ぐために閉じる。この逆行性の流れが存在する場合、それは僧帽弁逆流として知られている。
【０００５】
図２は、僧帽弁尖に対する左心房、弁輪、腱索、および左心室の間の関係を示している。示されるように、弁輪の上面は、左心房腔（ｌｅｆｔ  ａｔｒｉａｌ  ｃｈａｍｂｅｒ）の床または下面の少なくとも一部を形成し、したがって、本明細書の説明の目的のために、弁輪の上面は、左心房腔の下部境界をマークするものとして規定され、指定された上部環状面上に載置または装着された移植物の一般的な位置を示す少なくとも１つの点Ａによって一般的に表され、その指定は以下で詳細に論じられる。実際には、固定構造および人工弁を単一の心腔内に配置する目的で、生来の弁尖と干渉することなく、２つ以上の点Ａを使用して上部環状面を指定することができる。
【０００６】
左心房と左心室との間で血液が一般に下方の順行方向に流れる弁輪の領域が生じるが、生来の弁尖の屈曲点より上の部分は、本明細書では内輪（ｉｎｎｅｒ  ａｎｎｕｌｕｓ）と呼ばれる。弁輪、生来の弁尖、指定された上部環状面および内輪の断面図については、図５Ａおよび図５Ｂを参照する。上記の指定された上部環状面は、左心房の少なくとも一部の下部境界を画定することに留意されたい。したがって、指定された上部環状面はまた、例えば当業者に知られているように環状平面を覆うように、それ自体弁輪を横切って延びることができる。しかしながら、指定された上部環状面はまた、以下でさらに説明されるように、ある距離だけ弁輪内に下方（順行性）に延びてもよいが、指定された上部環状面に配置される構造が、例えば、生来の弁尖の屈曲点において、内輪内の生来の弁尖の機能性に悪影響を及ぼし得る点を超えて下方（順行性）に延びてはならない。
【０００７】
生来の心臓弁は、限定はしないが、疾患、外傷、先天性奇形、および加齢を含む様々な理由および／または状態のために機能不全になり得る。これらの種類の状態は、僧帽弁が機能不全に陥った場合に、弁構造を適切に閉じることができず、その結果、左心室から左心房への逆行性血流を生じさせる可能性がある。図３および図４は、機能不全の僧帽弁に伴う逆流性血流を示している。図４は、弁尖と左心室から左心房への逆流性血流との間の癒合の喪失を伴う、逸脱する生来の弁を示している。
【０００８】
僧帽弁逆流は、少なくともいくらかの逆行性の血流が左心室から左心房に逆流することを可能にする機能不全の僧帽弁から生じる特定の問題である。場合によっては、機能不全は、逆行性の流れを阻止するために接続または接合するのではなく、左心房腔に、すなわち線または平面Ａで示されるように弁輪の上面の上方に逸脱する僧帽弁尖から生じる。この血液の逆流は、僧帽弁逆流症の長期の臨床経過の間にかなり変化する心室腔の大きさおよび形状のリモデリングを含む一連の左心室代償的適応および調整（ｌｅｆｔ  ｖｅｎｔｒｉｃｕｌａｒ  ｃｏｍｐｅｎｓａｔｏｒｙ  ａｄａｐｔａｔｉｏｎｓ  ａｎｄ  ａｄｊｕｓｔｍｅｎｔｓ）を招く可能性がある体積負荷で左心室に負担をかける。
【０００９】
したがって、一般的に、例えば僧帽弁などの生来の心臓弁は、部分的または完全な置換を含む機能的修復および／または補助を必要とすることがある。そのような介入は、開心術および置換心臓弁の開心移植を含むいくつかの形態をとり得る。侵襲性が高く、患者のリスクを伴い、入院期間の延長だけでなく、非常に痛みを伴う回復期間も必要とされる処置については、例えば、米国特許第４，１０６，１２９号明細書（Ｃａｒｐｅｎｔｉｅｒ）を参照されたい。
【００１０】
機能不全の心臓弁を置換するための低侵襲性の方法および装置も知られており、経皮的アクセスおよび置換弁のカテーテル促進送達が含まれる。これらの解決策の大部分は、当技術分野で一般的に知られているステントなどの構造支持体、または送達カテーテルからの解放時に拡張するように設計された他の形態のワイヤネットワークに取り付けられた置換心臓弁を含む。例えば、米国特許第３，６５７，７４４号明細書（Ｅｒｓｅｋ）；米国特許第５，４１１，５５２号明細書（Ａｎｄｅｒｓｅｎ）を参照されたい。支持ステントの自己拡張型は、弁を位置決めし、拡張された装置を対象の心腔または血管内の所定の位置に保持するのを助ける。この自己拡張された形態はまた、多くの場合そうであるように、装置が最初の位置決めの試みにおいて適切に位置決めされず、したがって再捕捉されそして位置的に調整されなければならないとき問題を提示する。完全にまたは部分的に拡張された装置の場合のこの再捕捉プロセスは、操作者が収縮した装置を送達シースまたはカテーテル内に引き戻し、装置の内向き位置を調整することを可能にする点まで装置を再び収縮させることを必要とし、次に、位置的に調整された装置を送達シースまたはカテーテルから遠位に再配置することによって適切な位置に再拡張する。拡張されたステントまたはワイヤネットワークは一般に、縮小力または収縮力にも抗する拡張状態を達成するように設計されているので、既に拡張された装置を収縮させることは困難である。
【００１１】
上述の開心術外科的アプローチに加えて、関心のある弁へのアクセスを得ることは、少なくとも以下の既知のアクセス経路のうちの１つを介して経皮的に達成される：経心尖；経大腿；経心房；および経中隔送達技術（ｔｒａｎｓａｐｉｃａｌ；  ｔｒａｎｓｆｅｍｏｒａｌ；  ｔｒａｎｓａｔｒｉａｌ；  ａｎｄ  ｔｒａｎｓｓｅｐｔａｌ  ｄｅｌｉｖｅｒｙ  ｔｅｃｈｎｉｑｕｅｓ）。
【００１２】
一般に、当技術分野は、上述の既知のアクセス経路のうちの１つを使用して、収縮した弁装置の部分送達を可能にするシステムおよび方法に焦点を合わせており、装置の一端は、送達シースまたはカテーテルから解放され、そして最初の位置決めのために拡張され、続いて適切な位置決めが達成されたときに完全に解放および拡張される。例えば、米国特許第８，８５２，２７１号明細書（Ｍｕｒｒａｙ，ＩＩＩ）；米国特許第８，７４７，４５９号明細書（Ｎｇｕｙｅｎ）；米国特許第８，８１４，９３１号明細書（Ｗａｎｇ）；米国特許第９，４０２，７２０号明細書（Ｒｉｃｈｔｅｒ）；米国特許第８，９８６，３７２号明細書（Ｍｕｒｒａｙ，ＩＩＩ）；米国特許第９，２７７，９９１号明細書（Ｓａｌａｈｉｅｈ）；米国特許出願公開第２０１５／０２７２７３１号明細書（Ｒａｃｃｈｉｎｉ）；および米国特許出願公開第２０１６／０２３５５３１号明細書（Ｃｉｏｂａｎｕ）を参照されたい。
【００１３】
さらに、すべての既知の人工心臓弁は、生来の心臓弁の完全な置換を意図している。したがって、これらの置換心臓弁および／または固定もしくは係留構造は、僧帽弁の場合には左心房腔の外に物理的に延在し、内輪および／または弁尖と係合して、多くの場合内輪の壁に生来の弁尖をピン止めし、これにより、生来の弁の残りの機能をすべて完全に排除し、患者が完全に置換弁に頼るようにする。他の場合では、固定構造は、左心室の中に延び、左心室壁組織および／または左心室の頂部のサブ環状面の中に固定することができる。その他、肺静脈内に存在する、または肺静脈と係合することを含み得る。
【先行技術文献】
【特許文献】
【００１４】
【特許文献１】米国特許第４，１０６，１２９号明細書
【特許文献２】米国特許第３，６５７，７４４号明細書
【特許文献３】米国特許第５，４１１，５５２号明細書
【特許文献４】米国特許第８，８５２，２７１号明細書
【特許文献５】米国特許第８，７４７，４５９号明細書
【特許文献６】米国特許第８，８１４，９３１号明細書
【特許文献７】米国特許第９，４０２，７２０号明細書
【特許文献８】米国特許第８，９８６，３７２号明細書
【特許文献９】米国特許第９，２７７，９９１号明細書
【特許文献１０】米国特許出願公開第２０１５／０２７２７３１号明細書
【特許文献１１】米国特許出願公開第２０１６／０２３５５３１号明細書
【発明の概要】
【発明が解決しようとする課題】
【００１５】
延長、購入、固定、操作、および／または関連する生来の弁機能の同時の減少または排除を伴う左心房の外側の、組織、弁および／またはチャネルおよび／または心腔との、流体連通、作動接続および／または係合を必要とする人工弁移植解決策の各々は、改善を必要とする。便宜上、本明細書ではこれらの解決策をまとめて二腔（ｔｗｏ−ｃｈａｍｂｅｒ）解決策と呼ぶ。一般的に言えば、生来の弁尖がいくらかの機能性を保持する場合、好ましい解決策は心臓弁の生来の機能を維持および／または保持するものであり、したがって完全な置換よりも生来の弁およびその機能の補充または増強が好ましい。
【００１６】
明らかに、介入移植処置の前に生来の弁が実質的に完全な機能性を失っている場合があり得る。この場合、好ましい解決策は、例えば左心房の外側まで広がらず、生来の弁機能を完全に置換するように機能する移植を含むことになる。しかしながら、他の多くの場合において、生来の弁はある程度機能を残したままであり、そして移植処置後に機能性を失い続けるかもしれないし、しないかもしれない。この場合の好ましい解決策は、生来の弁尖機能を可能な限り保存するために、生来の弁尖機能を損なうことなく、補助弁または増強弁として機能し得る弁装置の送達および移植を含み、一方で、人工弁の移植後にその機能のほとんどまたはすべてをゆっくり失う弁の生来の機能を完全に置換することができる。
【００１７】
二腔解決策にはさらなる問題がある。それらは不必要に嵩張って長く、厳密な構造的観点から送達および位置決め／再捕捉／再位置決めをより困難にする。さらに、二腔解決策は、心室の固定および／または係留接続が位置を保持するのに必要とされる点で困難をもたらす。さらに、これらの解決策は、左心室内に配置されている装置部分が弁輪を通って導かれなければならず、内輪および生来の僧帽弁の少なくとも一部を通過し、それによって必然的に永久的に破壊されるため、上述のように生来の弁機能を妨げ、ある場合には、生来の弁尖の残りの接合能力および機能性を排除する。加えて、多くの二腔解決策は、一般に、いくつかの生来の組織の侵襲的固定を必要とし、その結果、不必要な外傷および潜在的な合併症をもたらす。
【課題を解決するための手段】
【００１８】
本明細書に記載の特定の本発明の実施形態は、他に示さない限り、単腔または二腔解決策に容易に適用可能である。さらに、本明細書で説明される特定の実施形態は、一般的に生来の弁機能の保存および／または置換に適用することができ、したがって僧帽弁に限定されない。
【００１９】
本明細書に開示されているいくつかの発明の様々な実施形態は、とりわけこれらの問題に対処する。
【図面の簡単な説明】
【００２０】
【図１】心臓の特定の特徴を断面で示す図である。
【図２】心臓の左側の断面斜視図である。
【図３】正常な血流と比較した僧帽弁逆流から生じる逆行性血流を示す心臓の断面図である。
【図４】僧帽弁尖の逸脱と逆流血流を示す心臓の一部の断面図である。
【図５Ａ】弁輪および本発明の一実施形態の上面図である。
【図５Ｂ】弁輪および生来の弁尖ならびに本発明の一実施形態の断面側面図である。
【図５Ｃ】弁輪および生来の弁尖ならびに本発明の一実施形態の断面側面図である。
【図５Ｄ】弁輪および生来の弁尖ならびに本発明の一実施形態の断面側面図である。
【図５Ｅ】弁輪および生来の弁尖ならびに本発明の一実施形態の断面側面図である。
【図６】本発明の一実施形態の斜視図である。
【図７】本発明の一実施形態の斜視図である。
【図８】本発明の一実施形態の底面図である。
【図９】本発明の一実施形態の破断斜視図である。
【図９Ａ】本発明の一実施形態の斜視図である。
【図１０】本発明の一実施形態の破断斜視図である。
【図１１】本発明の一実施形態の斜視図である。
【図１２】本発明の一実施形態の斜視図である。
【図１３】本発明の一実施形態の斜視図である。
【発明を実施するための形態】
【００２１】
本発明の様々な実施形態は、単腔固定部による解決策を含み、この解決策は、（１）生来の弁機能の保存（ｐｒｅｓｅｒｖａｔｉｏｎ）；（２）その後の生来の弁機能の完全な置換を伴う、生来の弁機能の初期保存；（３）生来の弁機能の完全な置換（ｒｅｐｌａｃｅｍｅｎｔ）；および（４）生来の弁尖機能性を可能な限り保存するために、上部環状面の上方で左心房腔内への逸脱する弁尖の前方偏位（ａｎｔｅｒｉｏｒ  ｅｘｃｕｒｓｉｏｎ）を防止することによる機能不全弁尖の逸脱距離の緩和、を含む。
【００２２】
説明したように、すべての既知の人工心臓弁は、生来の心臓弁（ｎａｔｉｖｅ  ｈｅａｒｔ  ｖａｌｖｅ）の完全な置換を目的としている。したがって、これらの置換心臓弁は、内輪および／または弁尖と物理的に係合して、多くの場合内輪の壁に生来の弁尖（ｎａｔｉｖｅ  ｌｅａｆｌｅｔｓ）をピン止めし、これにより、生来の弁の残りの機能をすべて排除し、患者が完全に置換弁に頼るようにする。一般的に言えば、生来の弁尖（ｎａｔｉｖｅ  ｖａｌｖｅ  ｌｅａｆｌｅｔｓ）がいくらかの機能性を保持する場合、好ましい解決策は心臓弁の生来の機能を維持および／または保持するものであり、したがって完全な置換よりも生来の弁およびその機能の補充（ｓｕｐｐｌｅｍｅｎｔａｔｉｏｎ）または増強が好ましい。
【００２３】
場合によっては、生来の弁は、介入移植処置の前に実質的に完全な機能性を失っていたはずである。この場合、推奨される解決策は、生来の弁に代わる完全な機能の置換を提供する。
【００２４】
他の場合では、生来の弁は、人工弁の移植後にある程度の機能性を保持するが、時間とともに生来の機能性を失い続けることになる。したがって、これらの場合の好ましい解決策は、生来の弁尖機能性を可能な限り保存しかつ維持するために最初は補助機能弁として機能し、時間が経つにつれて、徐々に生来の機能を失うように、弁の生来の機能の代わりとして機能する、弁装置の送達および移植を含む。したがって、これらの場合の好ましい解決策は、最初は必要とされる低い補充または増強支持レベルのみで生来の弁機能を維持し、同時に生来の弁尖機能がゆっくり劣化するにつれて、ますます増加する補充需要に対応するために、徐々に増大する補充または増強支持レベルを提供することができる。最終的には、完全な置換機能が推奨される解決策によって提供され得る。
【００２５】
これに関連して、本発明の様々な実施形態の特徴は、逸脱する弁尖が上部環状面の上方および左心房内に上昇するのを防止して、生来の弁尖機能のさらなる支持および長期にわたる保存を提供することである。
【００２６】
さらに、単腔（ｓｉｎｇｌｅ−ｃｈａｍｂｅｒ）の、拡張され移植された装置構造は、図に示すように特定の実施形態を含む。したがって、拡張され移植された装置構造のこれらの実施形態は、境界、例えば、図面に示され、当技術分野で言及されるような環状平面の下に延びる構造を含んではならない。あるいは、環状スロート内で、さらに論じられるように、いかなる構造も画定された境界の下に延びてはならない。さらに代替的には、特定の実施形態は、心腔（例えば左心房）からそれと流体連通している血管（例えば図に示されるような肺静脈）の中へ延びる拡張され移植された装置構造の構造を含んではならない。
【００２７】
したがって、特定の実施形態では、左心房内の、拡張され移植された構造は、生来の弁尖を含む患者の僧帽弁（ｍｉｔｒａｌ  ｖａｌｖｅ）、左心室および肺静脈のうちの１つまたは複数に存在しないか、または係合し得ない。
【００２８】
さらに、本発明の実施形態は、収縮した人工心臓弁構造の心腔（ｈｅａｒｔ  ｃｈａｍｂｅｒ）、例えば左心房への送達を含み得、これは、生来の弁尖を含む患者の僧帽弁、左心室、および肺静脈のうちの１つまたは複数の中に存在しないか、または係合しないことを含む。
【００２９】
本発明の様々な実施形態は、上記の各状態に対する好ましい解決策を含む。
【００３０】
ここで図５Ａ〜図５Ｅを参照すると、弁輪（ａｎｎｕｌｕｓ）の上面または上部環状面の指定場所または位置は、少なくとも２つの点Ａを指定することによって達成され得、それらの各々は、上部環状面の現在指定された場所になければならない。図５Ａおよび図５Ｂに最もよく示されている平面Ｂは、左心房の弁輪の指定された上面上に配置された少なくとも２つの指定された点Ａとほぼ同一平面上にある平面を表す。指定された少なくとも２つの点Ａの重要かつ要求される特徴は、それらが生来の弁尖の屈曲点ＦＰより上に位置することを必要とする。この構成は、次に、弁輪を横切って、または場合によっては内輪の中に延びる構造の最下部を見つけることを容易にする。したがって、指定された少なくとも２つの点にまたはそれより上に位置する最下部を有する構造は、残りの正常な生来の弁機能に悪影響を及ぼさないであろう。当業者であれば、図５Ｂに示されるように平面Ｂを一般に環状平面（ａｎｎｕｌａｒ  ｐｌａｎｅ）と呼ばれる平面の上に存在するか、またはそれと共線的であるとして認識するが、以下に説明されるように、他の場所が上部環状面に指定されてもよく、それぞれが本発明の範囲内である。
【００３１】
さらに、特定の実施形態における内輪を含む、弁輪に対する左心房および／または左心房腔の最下点、または床は、本明細書では、指定された少なくとも２つの点Ａを結ぶ直線または曲線の少なくとも１つの線によって見つけられるものと定義される。したがって、曲線または曲線であり得る一連の線の場合、平面Ｂとして示されるほぼ平坦な平面は、図５Ｂに示されるように曲線状シートＣを形成し得、そしてシートＣを横切る曲線状の変化を含み得る。
【００３２】
指定された少なくとも２つの点Ａによって画定され指定された上部環状面にまたはそれより上に位置する最下部を有する構造、およびそれを接続する平坦な平面Ｂまたは曲線状シートＣは、本明細書では、左心房または左心房腔内にあると画定される。
【００３３】
指定された少なくとも２つの点Ａおよびそれを接続する平面Ｂまたは曲線状シートＣによって画定されるような弁輪の上面の下に位置する構造は、本明細書では左心房または左心房腔の外側に位置するとして画定される。
【００３４】
弁輪に対する左心房の下側境界の画定、および左心房下側境界の内側にあるものと外側にあるもの対応する画定は、少なくとも２つの点の指定を超える単一の要件を有し、すなわち、指定された少なくとも２つの点Ａおよび対応する平面Ｂまたは曲線状シートＣの場所は、いかなる点でも生来の弁尖の機能性に悪影響を及ぼし得ない。当業者が容易に認識するように、左心房または左心房腔の残りの境界は、心腔壁および上面またはルーフを含む。ここでは、左心房または左心房腔の境界のこの画定は、左心房または左心房腔の画定された境界の外側に延びる固定構造または他の構造なしに、左心房または左心房腔内でのみ構造を配置および固定するための基礎を形成する。
【００３５】
本明細書に記載の人工心臓弁装置の様々な実施形態の最下部は、一部の実施形態では、逸脱する僧帽弁に対する障壁を提供し、それによって、上述のように指定された上部環状面の内輪内の深さに応じて異なる程度に逸脱を防止する。これは、本発明の実施形態の独創的な目的の１つである。しかしながら、内輪内に下方に延びることができる様々な実施形態の最も下の構造は、本明細書で定義されるように設計された上部環状面にまたはそれより上に位置しなければならない。
【００３６】
図に示されるように、少なくとも２つの指定された点Ａ、およびそれらを接続する平面Ｂまたは曲線状シートＣは、常に生来の弁尖の屈曲点ＦＰより上に位置することが理解されよう。これは、ある場合には、生来の弁尖の逸脱を様々な程度まで防止し、同時に生来の弁尖の機能性に悪影響を及ぼさないようにすることを可能にする特徴の１つである。なお、図５Ｃにおいて、弁輪を横切って延びる曲線状シートＣの部分は、環状平面として一般に知られているものより下で下向きに湾曲または下降することができるので、指定された上部環状面は内輪への下向きの延長または偏位を含むことができる。指定された上部環状面について上述した要件に従って曲線状シートＣがすべての点で、例えば、生来の機能性を妨げないように生来の弁尖の屈曲点ＰＦの上方に位置するように維持される限り、この構成は本発明の範囲内である。
【００３７】
あるいは、基部１００の下面１０６の少なくとも一部はまた、弁輪の少なくとも一部を囲む左心房の下面に載ってもよい。
【００３８】
さらに代替的な一連の実施形態では、弁尖の少なくとも部分的な接合が可能である限り、設計された上部環状面の一部は、その生来の機能性を依然として維持しながら、生来の弁尖の屈曲点ＦＰより下に延びてもよい。さらに、生来の弁尖の機能性が非常に劣っていると評価される場合、弁構造は内輪を通って下方に延びて生来の弁尖を壁組織に対して効果的にピン止めすることができる。これは稀な場合にのみ可能な解決策とされようが、それは記載されている本発明の範囲内である。この実施形態では、上部環状面もまた、生来の弁尖の屈曲点より下の場所に画定され指定されている。
【００３９】
弁輪の上面と少なくとも２つの指定された点Ａおよび平面Ｂとの関係および画定は、図５Ｄおよび図５Ｅにさらに示されている。そこでは、弁輪は、高さＨを有する弁輪の内部チャネルとして示される内輪を有する側面断面図で示されている。図５Ｄは、環状平面とほぼ整列した対応する平面Ｂを有する弁輪の上面を示している。図５Ｅは、弁輪の上面が図５Ｄの場所のやや下の平面Ｂ’として示される代替案を示している。しかしながら、いずれの場合も、平面Ｂおよび／または曲線状シートＣによって示されるような弁輪の位置および場所指定の上面は、生来の弁尖の屈曲点ＦＰより上になければならないため、少なくとも弁輪の上面に載置されることになる基部１００の移植された下面１０６は、生来の弁尖機能を妨害しない。この別の実施形態は、弁輪の上面を位置決めおよび配置するため、したがって移植の際に基部１００の下面１０６を配置するために、関連する平面Ｂまたは曲線状シートＣを有する複数の指定点Ａがあることをさらに説明するためのものである。
【００４０】
ここで図６および図７を参照すると、本発明の一実施形態は、当技術分野で知られているように拡張可能かつ収縮可能なウェブまたはセルを有するベースステント１００と、図示のような中間ばね状部分２００と、心房ドーム３００と、を含む収縮可能かつ拡張可能な固定構造（ａｎｃｈｏｒｉｎｇ  ｓｔｒｕｃｔｕｒｅ）１０を含み、中間ばね状部分２００は、ベースステント１００および心房ドーム３００と動作可能に接続されている。図５は、左心房内にあり、左心房の外側の構造との関与、係合または干渉がない状態の固定構造１０を示している。
【００４１】
基部１００は、内面１０２、外面１０４、直径Ｄ１を有する下面１０６、直径Ｄ２を有する上面１０８、および下面１０６と上面１０８との間の垂直方向の長さとして一般に定義される高さＨ１を含む。基部１００は、周知のように、収縮および拡張することができるステントまたは他の構造を含むことができる。基部１００は、収縮状態から拡張状態を達成するために拡張するように付勢され得るのが好ましいが、他の収縮拡張機構も採用され得る。さらに、基部１００は、心腔壁および床の生来の動きに合わせて拡張および収縮するために複数の拡張状態を達成することができる。基部１００は、当技術分野で知られているように拡張状態を達成するように付勢された形状記憶材料、例えばニチノールまたは同様のワイヤメッシュ構造または滑り要素構造を含むことができる。同様に、形状記憶ポリマーを基部１００の少なくとも一部に使用することができる。
【００４２】
好ましくは、左心房に移植されるとき、基部の外面１０４は、少なくとも、左心房内の左心耳（ＬＡＡ）を包含する壁の少なくとも周方向領域においてＬＡＡを密封するために心房壁に適合してこれをシールする材料Ｍで覆われる。
【００４３】
図６および図７は、指定された上部環状面を表すものとして上述した例示的な平面Ｂを占める基部の下面１０６を示しているが、本明細書でも説明するように他の指定および場所も可能である。人工一方向弁４００は、一方向流体連通を可能にするように一般に弁輪と整列しており、基部１００内に配置され、上述のように弁輪の上面の指定場所を表す例示的な平面Ｂ上に一般に存在するものとして示されている。人工弁４００は、少なくとも１つ、好ましくは２つの弁尖４０２を含み、図８に見られるように、ベースステント下面１０６を通る一方向開口部４０４を画定し、それを通る流体の流れとそれに続く弁輪への流れを促進するが、逆流は阻止される。人工一方向弁４００は、弁支持体装置、例えば、流体の流れに対して開いており、一方向人工弁が開いているときに心房血液および弁輪と流体連通する中央シリンダ４０６を備えていてもよい。中央シリンダ４０６は、弁尖４０２の支持および取り付けを提供するように構成され、中央シリンダ４０６は、左心房内で受け取られた流体の流れに対して開き、いくつかの実施形態では、受け取った流体の流れを弁尖４０２に向けて流し込むまたは集中させるように構成される。
【００４４】
図９に見られるように、中央シリンダ４０６は、中央シリンダ４０６の下面４０８またはその近くに配置された弁尖４０２を含むことができる。代替として、弁尖４０２は、破線４０２’によって示される例示的な実施形態を用いて、下面４０８の上方にある中央シリンダ４０６内の場所に配置されて動作可能に接続されてもよい。
【００４５】
あるいは、アパーチャ、例えば図８の開口部４０４は、弁輪と実質的に整列され、平面Ｂ内または曲線状シートＣに沿って少なくとも２つの指定された点Ａに沿って配置され、一方向弁の機能を促進するために、それに取り付けられた人工弁尖を設けることができる。弁支持体装置、例えば、存在する場合、中央シリンダ４０６は、基部１００の高さよりも小さい、基部１００の高さよりも大きい、または基部の高さに等しい高さＨ２および下面４０８を含む。中央シリンダ４０６はまた、基部１００の下面１０６および上面１０４の両方の直径よりも小さい直径Ｄ３を含む。
【００４６】
人工一方向弁４００、具体的にはその下面４０８は、本明細書で定義されるように弁輪の指定された上面より下に延びることができないので、生来の弁機能は、本明細書に記載の稀な場合を除いて排除またはさもなければ低減されないことが好ましい。
【００４７】
当然のことながら、特定の実施形態では、中央シリンダ４０６およびその中に支持された弁尖４０２は、中央シリンダ４０６の下面４０８が、移植時に基部の下面１０６のものより下に延びることができるように構成および位置決めされ得る。例示的な実施形態の説明については図９Ａを参照されたい。また、この構成では、弁尖４０２は、中央シリンダ４０６に沿ってその中の任意の場所に配置されてもよい。しかしながら、これらの実施形態では、その上に下面４０８を含む中央シリンダ４０６は、可能な限り生来の弁尖の機能を保存するという本発明の目的の１つを達成するために、生来の弁尖機能を侵害するような場所には配置されない。言い換えれば、この実施形態では、中央シリンダ４０６の下面４０８は、少なくとも２つの指定点および／または本明細書で定義されるような対応する平面Ｂもしくは曲線状シートＣによって画定される指定された上部環状面に沿って配置され得、一方で、基部１００の下面１０６は、指定された上部環状平面のわずかに上の場所に位置してもよく、あるいは基部１００の下面１０６と中央シリンダ４０６の下面４０８の両方が指定された上部環状平面にまたはそれより上に位置してもよい。
【００４８】
さらに、中央シリンダ４０６は、代替的に、広範囲の代替のリーフ接続構造を含んでもよく、単純な円筒形以外の形状、例えば、長方形、楕円形、多角形、円錐形などが、上述の機能を保持しながら使用されてもよい。これらの代替案のそれぞれは本発明の範囲内である。
【００４９】
ここで中間ばね状部分２００に目を向けると、図６および図７に示されている実施形態は、例えば確かにばねに限定されないが、複数のばね要素（ｓｐｒｉｎｇ  ｅｌｅｍｅｎｔ）２０２を含む。部分２００内で使用されるばね要素２０２は、本明細書では、非弾性的に圧縮することができ、装置が圧縮されている間に付勢力をもたらす機械的エネルギーを蓄えるために使用される構造または装置を含むものとして定義される。したがって、本実施形態のばね要素２０２がその静止位置から弾性的に圧縮または伸張されると、その長さの変化にほぼ比例する反対方向の力を及ぼす。一般に、部分２００のばね要素２０２は第１の端部２０４と第２の端部２０６とを含み、各ばね要素２００の第１の端部２０４は基部２００と動作可能に接続し、各ばね要素２０２の第２の端部２０４は心房ドーム（ａｔｒｉａｌ  ｄｏｍｅ）３００と動作可能に接続している。移植されたとき、ばね要素２００のそれぞれは、弾性的に圧縮されていないことが好ましく、その結果、ばね要素２００はそれぞれ、心房ドーム３００を基部２００から分離する傾向がある力を加え、それによって、最終的にばねをその圧縮されておらずかつ伸長されていない平衡位置に戻すために、それらの間の距離Ｄ３を増加させるように努める。したがって、移植されたときの心房ドーム３００と基部２００との間の距離Ｄ３は、移植され拡張されていないとき、特定の実施形態では移植され収縮されていないときの心房ドーム３００と基部２００との間の距離Ｄ３より小さい。これらの力は、次に、心房ドーム３００と心房腔の上面との間、ならびに基部２００と、弁輪の上面および／または心房腔の床との間で伝達され、また、特定の実施形態では心房腔の壁組織に対して伝達される。
【００５０】
ばね要素２０２は、さらに好ましくは、ばね要素２０２のある程度の圧縮を維持する圧縮状態で移植され、その結果、心房腔内の生来の設置および拡張状態は、複数のばね要素２００から設定されたほぼ上向きおよび下向き（軸方向）に付勢される力を含む。
【００５１】
ばね要素２０２は、形状記憶などの弾性または超弾性材料、例えばニチノール、ポリマーなどであり得る。あるいは、ばね要素２０２は、心房ドーム３００と基部２００とを分離する傾向がある一定の付勢力を提供するために、機械的もしくはガス圧縮構造、または非弾性圧縮によりエネルギーを蓄えることを可能にする任意の構造のショックアブソーバ構造を含んでもよく、これにより、ばね要素２０２が非弾性的に圧縮された状態で移植されたとき、心房ドーム３００および基部２００を心房腔の組織内に押圧する。
【００５２】
ばね要素によって生じる付勢力は、装置１０の様々な態様、例えば、基部の外面１０４と下面１０６および／または心房ドーム３００、ならびに心房腔の輪郭、例えば、上部環状面、心房腔の床、および／または心房腔の壁の間の一般的な相補的構造適合との組み合わせにおいて、少なくとも基部１００の回転または並進なしに、固定構造が左心房内の適所に留まることを可能にする。加えて、様々な実施形態において、とりわけ、ばね要素２０２は、心房壁組織内で時間とともに少なくとも部分的に内皮化されてもよく、それにより、さらなる固定支持を提供する。この構成はまた、心房ドーム３００および基部１００の互いに対する屈曲性のほぼ軸方向の並進運動を可能にし、ばね要素２０２は中間ばね状部分２００の複数の半径方向におけるいくらかのコンプライアンス屈曲を可能にし、それによって移植された人工弁が心臓の生来の動きに合わせて動くことができるようになる。
【００５３】
あるいは、図７に示すように、複数のばね要素２００を、拡張または収縮特性がほとんどまたは全くない剛性ワイヤ（ｒｉｇｉｄ  ｗｉｒｅ）２０８と組み合わせて（おそらく交互に）設けてもよく、基部１００（ある実施形態では、基部１００の上面１０８）と心房ドーム３００の外面３０２、例えばワイヤ境界（ｗｉｒｅ  ｂｏｕｎｄａｒｙ）との間に設けてもよい。この構成は、基部１００に対する心房ドーム３００の実質的な下方への撓みまたは圧縮を防止する傾向がある一方で、構造体に付勢する上方への拡張力を提供し得る。あるいは、複数の剛性ワイヤ２０８のみが、基部１００（ある実施形態では基部１００の上面１０８）と心房ドーム３００の外面３０２、例えばワイヤ境界との間に接続されてもよい。これらの剛性ワイヤ２０８はまた、追加の固定支持を提供する心房腔組織と共に時間とともに内皮化され得る。
【００５４】
この構成はまた、左心房内にしっかりと固定することを可能にし、その一方で、基部１００に対する心房ドーム３００の軸方向の屈曲ならびに中間ばね状部分２００の屈曲コンプライアンスを可能にするが、ばね部材のみの実施形態よりも少ない程度、またはより制御された程度までである。
【００５５】
図示のように、ばね要素の第２の端部はドーム構造の外面と動作可能に接続されている。ドーム、例えば心房ドームは、直径を有し、ばね要素の第２の要素に関連するワイヤ境界から形成されてもよく、任意の閉じた幾何学形状、例えば円形、楕円形、三角形、多角形を含んでもよい。ドームは、ドーム構造を横切る直径または最大距離Ｄ４を含むことができ、それは好ましくはベースの上面の直径よりも小さい。
【００５６】
ある場合には、ベースステント内に配置された中央シリンダの直径と等しい直径、またはドーム構造を横切る最大距離が含まれてもよい。この場合、剛性またはばね状の、あるいはおそらく交互に組み合わせて配置された複数の支持ワイヤまたはストラットが、中央シリンダおよびドーム構造を画定するワイヤ境界と実質的に垂直に整列して動作可能に接続され、さらなる軸方向力および／または支持を提供することができ、これにより、その軸方向の拡張力を心腔ルーフの表面上の比較的小さい領域に集中させるが、その力は一点に集中しない。代わりに、開放構造の場合、軸方向の拡張力はドーム構造の外面の周りに分散される。さらに、例えばドーム内部材料が成形ドームのように不適合性または剛性であるいくつかの閉構造構成では、軸方向拡張力も内部材料自体全体に分散され、これは次に心腔ルーフと圧接する。ドームが成形されている場合には、ワイヤ境界が必要であってもなくてもよい。ワイヤ境界が必要でなければ、必要な接続は成形材料と直接行われる。
【００５７】
心房ドーム３００は、開放構造、すなわち、ワイヤ境界の内側部分に内部材料がない構造をさらに含んでもよく、または図示のように閉じられている、すなわち内部材料がワイヤ境界の内側部分、例えば組織、ファブリックなどを覆うことができる構造であってもよい。心房ドーム３００は、可撓性の適合性ワイヤ境界を備えてもよく、または剛性であってもよい。心房ドーム３００は、閉構造の場合、可撓性の内部材料と組み合わせて可撓性の適合性ワイヤ境界をさらに含んでもよい。さらに代替的には、ドームは、閉構造において、可撓性の内部材料または剛性の内側材料と組み合わせた剛性の適合性ワイヤ境界を含んでもよい。あるいは、ドームの閉構造の実施形態は、図示のような形状の成形片を含んでもよく、またはドームの表面から下方に延びる周方向リップ表面を含んでもよい。成形された実施形態は、装置に対してさらなる軸方向の撓み／圧縮保護を提供する。
【００５８】
ばね要素は、図６および図７に、おおむね弧状の、わずかに内向きの角度αを有する凹状の外形と、角度αと同じでも異なってもよいわずかに内向きの角度α’を有する剛性ワイヤ部材（存在する場合）とを有する、心腔の壁の形状にほぼ一致するように示されている。あるいは、図１０に示すように、ばね要素２０２、および存在する場合に剛性ワイヤは、付勢されたばね要素２０２からの心房力伝達、ならびに心腔内での装置の圧力と摩擦の適合をさらに最大にするために、基部１００の上面と心房ドーム３００の外面、例えばワイヤ境界との間に角度αの内向きの角度を達成するために、より短い長さで設けられてもよい。剛性ワイヤが存在するとき、それらはまた、角度αと等しくても異なっていてもよい角度α’で角度を付けられてもよい。一般に、図１０の構造において、角度α，α’は、図６および図７の構造の角度α、α’よりも鋭角である。
【００５９】
さらに、基部１００は、上部環状面と接触しているか、または上部環状面まで延在していてもよく、心腔表面に対してさらなる圧力と摩擦の適合を達成するための半径方向拡張力を提供する。
【００６０】
図１１は別の代替の実施形態を示しており、ここではばね要素２０２、および存在する場合、剛性ワイヤが、比較的小さい領域に集中した軸方向力を利用して、拡張時に達成される圧力と摩擦の適合を最大にする。したがって、ばね要素２０２および剛性ワイヤは、存在する場合、他の実施形態におけるように弁部分４００も含む基部１００に対して実質的に９０度である。したがって、軸方向の力の集中は心房ドーム３００に直接伝達され、ドーム３００が開放構造でありかつ心房ドーム３００を通るとき、ストラットなどのクロス部材で覆われているか織り交ぜられているとき、および特にカバーが成形材料であるときに、周囲に分散される。この軸方向の力の集中は、支持ストラットがベースステントから心房ドームの外周への本質的に直線の接続部と角度を成すときに最大になる。
【００６１】
図１２および図１３は、代替の固定構造１０の構成を示しており、ここでは、中間部２００を備える可撓性の、およびいくつかの実施形態では拡張可能なメッシュが、ばね要素または、上述した剛性ワイヤ構成を有するばね要素ではなく、基部１００の上面と接続された状態で示されている。上述のように少なくとも１つの人工弁尖をその中で動作可能に接続して支持する弁支持体４００が、基部１００内で動作可能に接続された状態で示されている。上述の心房ドーム構造体３００は、ワイヤメッシュと、および本明細書の様々な実施形態に関して説明した形状および材料と動作可能に接続され得る。上述のように、そして図１２に示すように、心房ドーム３００は覆われた表面を含むことができ、または図１３のように、心房ドームは外面３０２または境界、例えばワイヤ境界によって画定される開放構造を含むことができ、この境界は、拡張可能構造が拡張され移植されるとき、心腔の上面またはルーフと少なくとも部分的に動作可能に接続することになる。境界、例えばワイヤ境界３０２は、特に開放心房ドームの実施形態の場合には、可撓性の拡張可能なメッシュ材料のための取り付け点として機能し得る。あるいは、上記のように、心房ドーム３００は覆われた領域を含み得る。さらに代替的には、心房ドーム３００は、ワイヤメッシュ部分の上部に取り付けられ、かつその上に置かれる別個の構造を含み得、その結果、ワイヤメッシュ部分の上部には開口部または切り欠き部がない。
【００６２】
加えて、図１３は、図１２のメッシュ（図１３には示されていないメッシュ）と共に上述したばね要素２０２および／または剛性ワイヤ要素２０８を組み込むことを示している。これに関連して、ばね要素２０２および／または剛性ワイヤ要素２０８は、メッシュの内面および／またはメッシュの外面に配置されてもよい。あるいは、ばね要素および／または剛性ワイヤをメッシュ構造に一体化するか、またはそれを通して織り込み、そして上述のように、基部と心房ドームとの間に接続することができる。
【００６３】
図１２はまた、心房ドーム３００への軸方向の力の伝達を助け、ドーム３００が開放構造でありかつ心房ドーム３００を通るとき、覆われているとき、特にカバーが成形材料であるときその力が周りに分散される代替構造を示している。したがって、この代替の実施形態では、ストラット２２２は破線で示され、固定を助けるために基部１００と心房ドーム３００との間で軸方向の力を直接伝達する。ストラット２２２は、剛性であり得るか、またはいくらかの軸方向コンプライアンスおよび／または半径方向の可撓性を含み得る。
【００６４】
さらに、存在する場合に中央シリンダとドームとの間に動作可能に接続することができる、上述の剛性および／またはばね状の支持要素を、図１２のワイヤメッシュ構造と共に含めることができる。さらに代替的には、剛性および／またはばね状の支持要素が存在する場合、ドーム構造は含まれていない実施形態では、上記のように正面または側面から見たときに実質的に垂直の向きで、中央シリンダをワイヤメッシュと直接接続することができる。
【００６５】
本明細書で論じられ例示されている各実施形態は、肺静脈の管腔内に延在しない、または肺静脈に係合していない拡張され移植された構造をさらに含むことができる。
【００６６】
したがって、一般に、本明細書に記載の装置は、逆流の流れが例示的な左心房に達するのを防止し、ゆっくり劣化する生来の弁および／または弁尖の増強または補充を実質的に完全な置換機能が達成されるまで徐々に増大させることによって、残りの生来の弁機能を保存しながら、実質的に完全な弁機能を再確立する。
【００６７】
本明細書に記載の本発明の説明およびその用途は例示的なものであり、本発明の範囲を限定することを意図するものではない。様々な実施形態の特徴を、本発明の企図内で他の実施形態と組み合わせることができる。本明細書に開示された実施形態の変形および修正が可能であり、実施形態の様々な要素に対する実際的な代替および等価物は、この特許文書を検討すれば当業者には理解されよう。本明細書に開示された実施形態のこれらおよび他の変形および修正は、本発明の範囲および趣旨から逸脱することなくなされ得る。
【図１】
2020151480.tif 000003
【図２】
2020151480.tif 000004
【図３】
2020151480.tif 000005
【図４】
2020151480.tif 000006
【図５Ａ】
2020151480.tif 000007
【図５Ｂ】
2020151480.tif 000008
【図５Ｃ】
2020151480.tif 000009
【図５Ｄ】
2020151480.tif 000010
【図５Ｅ】
2020151480.tif 000011
【図６】
2020151480.tif 000012
【図７】
2020151480.tif 000013
【図８】
2020151480.tif 000014
【図９】
2020151480.tif 000015
【図９Ａ】
2020151480.tif 000016
【図１０】
2020151480.tif 000017
【図１１】
2020151480.tif 000018
【図１２】
2020151480.tif 000019
【図１３】
2020151480.tif 000020
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
環状平面、内輪、および前記環状平面と生来の弁尖の屈曲点との間に位置する上部環状面を含む弁輪と流体連通している心腔内での拡張移植のための装置であって、前記心腔の下部境界は前記上部環状面まで延在し、
前記拡張された装置は、
上面、および前記環状平面上に少なくとも部分的に配置された下面を有する基部と、
ドーム部分と、
前記基部の前記上面と、前記ドーム部分との間に動作可能に配置された中間構造と、
それを通る血流のために開き、前記基部に接続され、少なくとも部分的にその中に位置し、かつ前記弁輪と整列された中央弁支持体と
を含む拡張可能な固定構造を備え、
前記中央弁支持体は、前記弁支持体内に取り付けられた少なくとも１つの人工弁尖、および下面を含み、
前記中央弁支持体は、少なくとも１つの人工弁尖を通る順行性の血流を可能にし、少なくとも１つの人工弁尖を通る逆行性の血流を防止し、
前記中央弁支持体の前記下面は、前記上部環状面にまたはそれより上に位置する、装置。
【請求項２】
前記上部環状面は、前記環状平面上に存在する、請求項１に記載の装置。
【請求項３】
前記上部環状面は、前記環状平面の下、かつ前記生来の弁尖の屈曲点の上方に存在する、請求項１に記載の装置。
【請求項４】
前記固定構造が拡張したとき、前記中央弁支持体の前記下面は、前記基部の下面の下に延びる、請求項３に記載の装置。
【請求項５】
前記中央弁支持体の前記下面は、前記基部の外側に位置する、請求項４に記載の装置。
【請求項６】
前記中央弁支持体の前記下面は、前記環状平面の下に位置する、請求項３に記載の装置。
【請求項７】
前記上部環状面は、前記内輪内かつ前記生来の弁尖の屈曲点より上に位置し、
前記中央弁支持体の前記下面は、前記上部環状面上に位置する、
請求項３に記載の装置。
【請求項８】
前記中央弁支持体はシリンダを含む、請求項１に記載の装置。
【請求項９】
前記ドーム部分がワイヤ境界を含む、請求項１に記載の装置。
【請求項１０】
前記ドーム部分が、前記ワイヤ境界によって画定される開放構造を含む、請求項６に記載の装置。
【請求項１１】
前記ドーム部分が、前記ワイヤ境界によって画定される被覆構造を含む、請求項６に記載の装置。
【請求項１２】
前記少なくとも１つの人工弁尖が、前記中央弁支持体の前記下面で該中央弁支持体内に取り付けられた、請求項１又は４に記載の装置。
【請求項１３】
前記少なくとも１つの人工弁尖が、前記中央弁支持体の前記下面の上方で該中央弁支持体内に取り付けられた、請求項１又は４に記載の装置。
【請求項１４】
前記少なくとも１つの人工弁尖を含む前記中央弁支持体が、生来の弁尖の逸脱を緩和するために適用される、請求項１２に記載の装置。
【請求項１５】
前記心腔が左心房を含み、前記生来の弁が僧帽弁尖を含む、請求項１に記載の装置。
【請求項１６】
心腔内に移植された人工心臓弁装置を用いて患者の少なくとも部分的に機能しなくなった生来の弁尖を含む生来の心臓弁の機能を保存および／または補充するための方法であって、
請求項１に記載の心腔内での拡張移植のための装置を設けるステップと、
前記患者の少なくとも部分的に機能しなくなった生来の心臓弁の前記機能を保存および／または補充するステップと、
を含む、方法。
【請求項１７】
前記拡張された装置と前記患者の生来の弁尖との間に、物理的な相互作用がないことをさらに含む、請求項１６に記載の方法。
【請求項１８】
前記機能しなくなった生来の心臓弁が、逸脱した生来の弁尖を含み、前記生来の弁尖の逸脱距離を最小限にするステップをさらに含む、請求項１７に記載の方法。
【請求項１９】
心腔内に移植された人工心臓弁装置を用いて患者の少なくとも部分的に機能しなくなった生来の心臓弁の機能を補充および／または完全に置換するための方法であって、
請求項１に記載の心腔内での拡張移植のための装置を設けるステップと、
前記患者の少なくとも部分的に機能しなくなった生来の心臓弁の前記機能を補充および／または完全に置換するステップと、
を含む、方法。
【請求項２０】
前記拡張された装置と前記患者の生来の弁尖との間に、物理的な相互作用がないことをさらに含む、請求項１９に記載の方法。
【請求項２１】
前記機能しなくなった生来の心臓弁が、逸脱した生来の弁尖を含み、前記生来の弁尖の逸脱距離を最小限にするステップをさらに含む、請求項１９に記載の方法。
【請求項２２】
心腔内に移植された人工心臓弁装置を用いて患者の少なくとも部分的に機能しなくなった生来の心臓弁における生来の弁尖の逸脱距離を最小限にするための方法であって、
請求項１に記載の心腔内での拡張移植のための装置を設けるステップと、
前記生来の弁尖の逸脱距離を最小限にするステップと、
を含む、方法。